(57)【要約】【課題】吸込仕事率を向上させ、吸引力を高くすることが可能な電気掃除機を提供する。【解決手段】前記集塵室を上本体と回動可能な開閉蓋と下本体とで構成し、前記下本体には集塵室と前記電動送風機を連通する開口部を設け、前記下本体の前記集塵袋と前記電動送風機との間で、かつ前記集塵室内に前記集塵部側から着脱可能なフィルターを保持したフィルター枠部材を設け、前記フィルター枠部材の前記集塵部側の縦リブと横リブに凹形状の窪み又は凸形状の突起を設けた。【選択図】図１
2014008180.tif 000002
【特許請求の範囲】
【請求項１】
ホースが接続される吸気側に設けられた集塵室と排気側に設けられた電動送風機を有する掃除機本体と、
前記集塵室に着脱自在に設けられる集塵部を備えた電気掃除機において、
前記集塵室と前記電動送風機の間には、フィルターと該フィルターを保持するフィルター枠部材で構成されるフィルター部を設け、
前記フィルター枠部材は、縦リブまたは横リブの吸気側に突起を設けたことを特徴とする電気掃除機。
【請求項２】
請求項１に記載の電気掃除機において、
前記突起は、前記縦リブと前記横リブの交差部に設けられていることをとっく長とする電気掃除機。
【請求項３】
ホースが接続される吸気側に設けられた集塵室と排気側に設けられた電動送風機を有する掃除機本体と、
前記集塵室に着脱自在に設けられる集塵部を備えた電気掃除機において、
前記集塵室と前記電動送風機の間には、フィルターと該フィルターを保持するフィルター枠部材で構成されるフィルター部を設け、
前記フィルター枠部材は、縦リブまたは横リブの吸気側に窪みを設けたことを特徴とする電気掃除機。
【請求項４】
請求項1または３に記載の電気掃除機において、
前記フィルター枠部材の縦リブまたは横リブは、吸気側の幅が広く、排気側の幅が狭いことを特徴とする電気掃除機。
【発明の詳細な説明】
【技術分野】
【０００１】
本発明は、集塵部側から着脱可能なフィルターを集塵室に備えた電気掃除機に関する。
【背景技術】
【０００２】
従来の技術として、特許文献１に記載の電気掃除機では、集塵室側から着脱可能なフィルターを保持したフィルター枠部材を設け、フィルター枠部材に設けた凸部と下本体に設けた開口部とで係止すると共に、集塵室に対してフィルター枠部材を上下に摺動自在に設けたことで塵埃を集塵した集塵袋（紙パック）の取出しが容易な電気掃除機が記載されている。
【先行技術文献】
【特許文献】
【０００３】
【特許文献１】特開２０１０−１７８９３６号公報
【発明の概要】
【発明が解決しようとする課題】
【０００４】
特許文献１に記載された電気掃除機は、塵埃を集塵した集塵袋を引き出す際にフィルター枠部材が集塵袋に連動し上下方向へ摺動するため、取出しが容易であるという特徴を有している。しかし、塵埃を多量に集塵袋へ集塵した際には、集塵袋、フィルター、フィルター枠部材を順に通過する際に乱流が生じ、吸込仕事率が低下し、吸引力が低下するという問題がある。同様の問題は、集塵袋に代え、サイクロン式のダストケースを用いた場合にも発生する。
【０００５】
本発明の目的は、吸込仕事率を向上させ、吸引力を高くすることが可能な電気掃除機を提供することにある。
【課題を解決するための手段】
【０００６】
前記課題は、ホースが接続される吸気側に設けられた集塵室と排気側に設けられた電動送風機を有する掃除機本体と、前記集塵室に着脱自在に設けられる集塵袋を備えた電気掃除機において、前記集塵室と前記電動送風機の間には、フィルターと該フィルターを保持するフィルター枠部材で構成されるフィルター部を設け、前記フィルター枠部材は、縦リブまたは横リブの吸気側に突起を設けた電気掃除機によって解決される。
【０００７】
また、ホースが接続される吸気側に設けられた集塵室と排気側に設けられた電動送風機を有する掃除機本体と、前記集塵室に着脱自在に設けられる集塵袋を備えた電気掃除機において、前記集塵室と前記電動送風機の間には、フィルターと該フィルターを保持するフィルター枠部材で構成されるフィルター部を設け、前記フィルター枠部材は、縦リブまたは横リブの吸気側に窪みを設けた電気掃除機によって解決される。
【発明の効果】
【０００８】
本発明によれば、電気掃除機の吸込仕事率をさらに向上させ、吸引力を高めることができる。
【図面の簡単な説明】
【０００９】
【図１】実施例１の電気掃除機の外観斜視図である。
【図２】実施例１の電気掃除機本体の外観斜視図である。
【図３】実施例１の電気掃除機本体の外観図である。
【図４】フィルター枠部材の斜視図である。
【図５】フィルター枠部材の正面図である。
【図６】図５のY−Y断面図である。
【図７】フィルター枠部部材の背面図である。
【図８】実施例２のフィルター枠部材の外観図である。
【図９】図８のY−Y断面図である。
【図１０】実施例１の変形例の電気掃除機本体の外観斜視図である。
【図１１】実施例３の電気掃除機本体のフィルター部の平面図である。
【図１２】実施例３のフィルター部の前側のフィルター枠部材の説明図である。
【図１３】実施例３のフィルター部の後側のフィルター枠部材の説明図である。
【発明を実施するための形態】
【００１０】
以下、本発明の実施例を図面に基づいて説明する。
【実施例１】
【００１１】
図１は、実施例１の電気掃除機１００の外観斜視図である。１は床面などの被清掃面にある塵埃を含んだ空気を吸い込む吸口、２は吸口１に連通し空気が通る延長管、３は延長管２に連通し空気が通る可撓性のホース、４はホース３に連通し塵埃を捕集する掃除機本体である。そして、吸口１から吸引された塵埃は延長管２、ホース３を通り掃除機本体４に集塵される。図１の右上に示すように、以下では、掃除機本体４のホース３方向を前側、反対方向を後側とし、床面方向を下側、天井方向を上側とする。
【００１２】
図２は、掃除機本体４の外観斜視図である。ここに示すように、掃除機本体４は上本体５と下本体６で構成し、その内部に空気を吸い込み可能な電動送風機（図示せず）を備えている。電動送風機が備えられている部分を電動送風機室とする。電動送風機室は掃除機本体４の後側に設けられる。また、上本体５には、電動送風機側室上部に回動可能な開閉蓋７が設けられている。
【００１３】
図３は、掃除機本体４の開閉蓋７を開いた状態の外観斜視図である。なお、ここでは、後述する集塵袋（紙パック）、フィルターを取り外している。図３に示すように、電動送風機の吸気側となる掃除機本体４の前側には、集塵室８が設けられている。また、集塵室８には、着脱自在な集塵袋（図示せず）が設けられており、ホース３を通り掃除機本体４内に入った塵埃は集塵袋に集められる。さらに、集塵室８と電動送風機室の間には、集塵室８から電動送風機室へ（電動送風機へ）塵埃が流れ込むことを防止するため、フィルター１５とフィルター枠部材９で構成されるフィルター部１４が設けられる。このフィルター１５の目は集塵室８内に残った塵埃が電動送風機室へ（電動送風機へ）吸い込まれるのを防止することができればよく、比較的粗いものでもよい。なお、開閉蓋７が閉じられた状態（図２の状態）では、開閉蓋７が集塵室８の上側を気密にするのが好ましい。
【００１４】
次に、図４を参照して、フィルター枠部材９を説明する。図４は、フィルター枠部材９を左前方から見た斜視図である。ここに示すように、フィルター枠部材９は、外枠９ａと、縦リブ９ｂと、横リブ９ｃと、から構成されている。フィルター枠部材９の外枠９ａは、前後方向に幅を有する略四角形状の環状部材であり、その内側には、前方向（上流側）に取り付けられるフィルター１５の撓みや吸引を防止するため、縦リブ９ｂと横リブ９ｃが設けられている。
【００１５】
縦リブ９ｂは、外枠９ａの上辺から下辺に渡るように設けられた、板状または棒状の部材であり、横リブ９ｃは、外枠９ａの右辺から左辺に渡るように設けられた、板状または棒状の部材である。なお、縦リブ９ｂと横リブ９ｃは前後方向と左右方向に幅を有する部材であり、前後方向の幅は外枠９ａ近傍の部分がその他の部分よりも厚くなる形状をなしている。これは縦リブ９ｂや横リブ９ｃと外枠９ａとの固定を強固にするためである。
【００１６】
縦リブ９ｂと横リブ９ｃは外枠９ａの内側で交差しており、以下では、交差している部分を交差部９ｄと呼ぶ。また、交差部９ｄの前側には、前側に向かって凸となる四角錐形状の突起１２が設けられている。なお、ここでは、縦リブ９ｂと横リブ９ｃを３本ずつ設け、９つの交差部９ｄを有する構成を例示したが、縦リブ９ｂと横リブ９ｃを増減しても良いことは言うまでも無い。
【００１７】
電動送風機を動作させると、吸口１、延長管２、ホース３を通過し掃除機本体４内に塵埃を含んだ空気が吸い込まれる。掃除機本体４に吸い込まれた塵埃を含んだ空気は、集塵室８の集塵袋を通過し、集塵袋を通過する際に大多数の塵埃が集塵袋に集められる。集塵袋を通過した後の空気は、フィルター部１４を通り電動送風機室の電動送風機に吸い込まれる。ここで、フィルター部１４のフィルター１５を通過した風は、フィルター枠部材９に設けられた凸形状の突起１２により剥離が発生するが、その背面側に吸引された風が流れ、電動送風機へ吸い込まれる過程で、発生した剥離以上に、電動送風機へ流れ込む風が整流化されることによって、吸込仕事率が向上する。
【００１８】
また、突起１２の底面積は、交差部９ｄの面積以下であることが望ましい。これは、突起１２の底面積が交差部９ｄの面積よりも大きいときに比べ、フィルター部１４を通過する空気の通過を妨げることがないためである。
【００１９】
図５は、フィルター枠部材９を前方から見た正面図であり、図６は、図５のＹ−Ｙ断面図である。図６から明らかなように、外枠９ａの前後方向の幅に比べて、縦リブ９ｂと横リブ９ｃの前後方向の幅は狭い。これは、フィルター枠部材９を通過する空気の抵抗を減らすためであり、これにより吸込仕事率が向上する。
【００２０】
図７は、フィルター枠部材９を後方から見た背面図である。縦リブ９ｂの左右方向の幅は、前側（集塵室８側）が広く、後側（電動送風機側）に向かって狭くなる傾斜が設けられている。同様に、横リブ９ｃの上下方向の幅も、前側（集塵室８側）が広く、後側（電動送風機側）に向かって狭くなる傾斜が設けられている。これによりさらに空気の抵抗を減らすことができ、吸込仕事率が向上する。
【００２１】
本実施例では、突起１２を四角錐形状としたが、円錐形状や、四角錐以外の多角錐形状としてもよい。どのような形であれ突起１２が設けられていれば電動送風機へ流れ込む風が整流かされ吸込仕事率が向上する効果を奏する。また、本実施例では、突起１２を交差部９ｄに設ける例を示したが、縦リブ９ｂまたは横リブ９ｃの前側の任意の位置に突起１２を設けることでも同様の効果を得ることができる。
【００２２】
以上で説明した本実施例によれば、フィルター枠部材９の縦リブ９ｂと横リブ９ｃの交差部９ｄに複数個の突起１２を設けることで、フィルター１５を通過した風が剥離する。その剥離した風が下流側へ流れるにしたがって整流化され、上流側で剥離した以上に整流化の効果が得られて、吸引した風の流れが良好となり、吸込仕事率を向上させることが可能となる。さらに、フィルター枠部材９の縦リブ９ｂと横リブ９ｃは、電動送風機に向かって幅を狭くすることによって、電動送風機へ吸引された風が流れ易くなり、より一層、吸込仕事率が向上し、電気掃除機の吸引力を高く維持することができる。
【００２３】
なお、本実施例では、集塵室に集塵袋（紙パック）を装着する構成を例に説明したが、図１０に示すように、集塵室８に、サイクロン式のダストケース４０１を用いた掃除機本体１４においても、上記と同様の効果を得ることができる。これから明らかなように、本実施例は、集塵袋を用いる場合にもダストケースを用いる場合にも適用できるため、集塵袋とダストケースの両方を指して集塵部と呼ぶこともある。
【実施例２】
【００２４】
次に実施例２の電気掃除機本体２４を説明する。なお、実施例１の電動掃除機本体４と共通する構成は説明を省略することとする。
【００２５】
図８、図９を用いて、実施例２のフィルター枠部材１６を説明する。図８は、フィルター枠部材１６を左前方から見た斜視図である。また、図９は、図８のＹ−Ｙでの断面図である。ここに示すように、フィルター枠部材１６は、外枠１６ａと、縦リブ１６ｂと、横リブ１６ｃと、から構成されている。フィルター枠部材１６の外枠１６は、前後方向に幅を有する略四角形状の環状部材であり、その内側には、前方向（上流側）に取り付けられるフィルター１５の撓みや吸引を防止するため、縦リブ１６ｂと横リブ１６ｃが設けられている。
【００２６】
実施例１のフィルター枠部材９と実施例２のフィルター枠部材１６が異なる部分は、第一に、フィルター枠部材９は突起１２を備えるのに対し、フィルター枠部材１６はそれを備えない点である。第二に、フィルター枠部材１６は縦リブ１６ｂと横リブ１６ｃの前側に窪み１３を備えることで、いわゆるボルテックスジェネレーターとして機能するのに対し、フィルター枠部材９は窪み１３を備えない点である。
【００２７】
実施例２の窪み１３を設けることで、実施例１の突起１２を設けなくても実施例１と同様の効果を奏することができる。つまり、フィルター部１４のフィルター１５を通過した風は、フィルター枠部材１６の表面に設けられた凹部状の窪み１３により剥離が発生するが、その背面側に吸引された風が流れ、電動送風機へ吸い込まれる過程で、発生した剥離以上に、電動送風機へ流れ込む風が整流化されることによって、吸込仕事率が向上する。
【実施例３】
【００２８】
次に、実施例３の電気掃除機本体３４を説明する。なお、他の実施例と共通する構成は説明を省略することとする。
【００２９】
図１１は、電気掃除機本体３４の集塵室８側からフィルター部３１４方向を見た平面図である。ここに示すように、実施例３のフィルター枠部材３１は、前側のフィルター枠部材３１０と、後側のフィルター枠部材３１１とを前後に重ねた構成をしている。また、前側のフィルター枠部材３１０の軸部３１０ｅを後側のフィルター枠部材３１１の孔部３１１ｅを貫通させており、軸部３１０ｅを軸としてフィルター枠部材３１０が揺動し、フィルター部３１４のフィルター１５を叩くことで、フィルター１５に付着した微細な塵埃を除塵することができる。なお、フィルター枠部材３１０を揺動させる駆動力は、電源コードの出し入れによって発生する力を利用することができるが、他の方法でフィルター枠部材３１０を揺動させても良い。
【００３０】
図１２は、前側のフィルター枠部材３１０を説明図であり、フィルター枠部材３１０は、外枠３１０ａ、縦リブ３１０ｂ、軸部３１０ｅ、突起１２を備えている。なお、図１２の左図はフィルター枠部材３１０をＹ−Ｙ位置で切断した断面図である。また、図１３は、後側のフィルター枠部材３１１を説明図であり、フィルター枠部材３１１は、外枠３１１ａ、縦リブ３１１ｂ、横リブ３１１ｃ、交差点３１１ｄ、孔部３１１ｅ、窪み１３を備えている。なお、図１３の左図はフィルター枠部材３１１をＹ−Ｙ位置で切断した断面図であり、図１３の下図はフィルター枠部材３１１をＸ−Ｘ位置で切断した断面図である。
【００３１】
図１１に示すように、フィルター枠部材３１０と３１１を組み合わせたとき、フィルター枠部材３１０の突起１２はフィルター枠部材３１１の交差点３１１ｄの前方に位置する。このように構成することで、本実施例のフィルター部３１４は、実施例１で説明した突起１２を設けることによる効果と、実施例２で説明した窪み１３を設けることの効果の両方を得ることができる。
【符号の説明】
【００３２】
１  吸口
２  延長管
３  ホース
４、１４、２４、３４  掃除機本体
５  上本体
６  下本体
７  開閉蓋
８  集塵室
９、１６、３１、３１０、３１１  フィルター枠部材
９ａ、１６ａ、３１０ａ、３１１ａ  外枠
９ｂ、１６ｂ、３１０ｂ、３１１ｂ  縦リブ
９ｃ、１６ｃ、３１１ｃ  横リブ
９ｄ、１６ｄ、３１０ｄ  交差部
１２  突起
１３  窪み
１４、３１４  フィルター部
１５  フィルター
１００、２００、３００  電気掃除機
３１０ｅ  軸部
３１１ｅ  孔部
４０１  サイクロン式のダストケース
【図１】
2014008180.tif 000003
【図２】
2014008180.tif 000004
【図３】
2014008180.tif 000005
【図４】
2014008180.tif 000006
【図５】
2014008180.tif 000007
【図６】
2014008180.tif 000008
【図７】
2014008180.tif 000009
【図８】
2014008180.tif 000010
【図９】
2014008180.tif 000011
【図１０】
2014008180.tif 000012
【図１１】
2014008180.tif 000013
【図１２】
2014008180.tif 000014
【図１３】
2014008180.tif 000015